(57)【特許請求の範囲】
【請求項１】
画情報を変復調するファクシミリ用モデム装置において、
プライマリチャネル再同期時に送信側から送信された同期用信号を検出する信号検出手段と、
前記同期用信号の検出開始からカウントを開始し、前記同期用信号を検出するまでの期間が予め設定されている所定期間を超えた場合、前記同期用信号の検出を待たず強制的に画情報の受信に移行するタイマ手段を
有することを特徴とするファクシミリ用モデム装置。
【請求項２】
請求項１記載のファクシミリ用モデム装置において、
前記画情報をＶ．３４勧告の半二重通信により変復調を行うことを特徴とするファクシミリ用モデム装置。
【請求項３】
請求項２記載のファクシミリ用モデム装置において、
前記信号検出手段は、プライマリチャネル再同期処理で同期用信号であるＳ信号及びＳｂａｒ信号を検出することを特徴とするファクシミリ用モデム装置。
【請求項４】
請求項１乃至３のいずれか１項記載のファクシミリ用モデム装置を用いて構成したことを特徴とするファクシミリ装置。
【発明の詳細な説明】
【技術分野】
【０００１】
本発明は、ファクシミリ用モデム装置及びそれを用いたファクシミリ装置に係り、特に、Ｖ．３４規格に準拠したファクシミリ用モデム装置及びそれを用いたファクシミリ装置に関する。
【背景技術】
【０００２】
ＩＴＵ−Ｔ（国際電気通信連合電気通信標準化部門）のＶ．３４勧告に基づき半二重通信による変復調を行うファクシミリ用モデム装置（以下、単に「モデム」という）では、フェーズ１で通信規格を決定し、フェーズ２でシンボルレート、キャリア周波数を決定し、フェーズ３でプライマリチャネルの等化器トレーニングを行う。フェーズ３の後、制御チャネルのスタートアップを行い、変調パラメータシーケンスＭＰｈを交換してプライマリチャネルの信号速度を決定する。この後、プライマリチャネル再同期を行う。このとき、送信モデム側は同期用の信号Ｓ、同期用の信号Ｓｂａｒ、同期用の信号ＰＰ、シーケンスＢ１と、それに引き続き画情報データを送信する。
【０００３】
受信モデムはプライマリチャネル再同期から画情報受信を終えるまで信号を受信する。原稿を複数ページ送信する場合は、プライマリチャネル再同期、画情報の送信、制御チャネル再同期、が繰り返される。
【０００４】
制御チャネル再同期では受信側は原稿を正しく受け取った場合、ＭＣＦ（Ｍｅｓｓａｇｅ  Ｃｏｎｆｉｒｍａｔｉｏｎ）をを返し、受信エラーのある場合はＰＰＲ（Ｐａｒｔｉａｌ  Ｐａｇｅ  Ｒｅｓｐｏｎｓｅ）を返すことで、受信できなかった情報は繰り返し送信モデムから原稿を送ることができる。送信モデムはＰＰＲを受信した場合、エラー部分のみ再送する。ＭＣＦを受信した場合は次のページがあれば送信し、なければＤＣＮ（Ｄｉｓｃｏｎｎｅｃｔ）を送信し切断処理を行う。
【０００５】
なお、特許文献１には、画情報受信中に瞬断が発生すると制御チャネルに移行し、リカバリ手順にしたがってリトレーンが発生し、そこで画情報受信が終わるまでタイマをセットして制御チャネルを継続することで、画情報の次の制御チャネルに移行して通信が継続させることが記載されている。
【特許文献１】特許第３４３７４０２号
【発明の開示】
【発明が解決しようとする課題】
【０００６】
プライマリチャネル再同期においてはＳ信号、Ｓ信号からＳｂａｒ信号への遷移を検出することで、受信モデムは大まかに送信ファクシミリ用モデム装置とクロック同期を合わせ、続くＰＰ信号も使って同期合わせを継続する。このため、Ｓ信号やＳ信号からＳｂａｒ信号への遷移を検出するまで、モデムシーケンスは先に進まない。
【０００７】
フェーズ３まではＶ．３４勧告の半二重動作にリカバリ手順が規定されているが、プライマリチャネル再同期にはリカバリ手順が規定されていない。このため、受信モデム側ではＳ信号を受信するときに瞬断などの突発的回線障害が入った場合、Ｓ受信をいつまでも待つことになる。一方、送信モデムはプライマリチャネルの送信が終わると制御チャネルの再同期手順に移行する。
【０００８】
このように、送信モデムがＳ信号送出中に瞬断などの回線障害が発生した場合、送信モデムも受信モデムも先に進むことができず、ホストＣＰＵからのタイムアウトで強制切断されファクシミリ通信に失敗してしまうという問題があった。
【０００９】
本発明は、上記の点に鑑みなされたもので、同期用信号受信中の瞬断などの突発的回線障害を受けた場合に、切断にいたることなく通信を継続させることができるファクシミリ用モデム装置及びそれを用いたファクシミリ装置を提供することを目的とする。
【課題を解決するための手段】
【００１０】
上記課題を解決するため、本発明のファクシミリ用モデム装置は、画情報を変復調するファクシミリ用モデム装置において、プライマリチャネル再同期時に送信側から送信された同期用信号を検出する信号検出手段と、前記同期用信号の検出開始からカウントを開始し、前記同期用信号を検出するまでの期間が予め設定されている所定期間を超えた場合、前記同期用信号の検出を待たず強制的に画情報の受信に移行するタイマ手段を有することを特徴とする。
【００１１】
また、本発明のファクシミリ装置は、請求項１乃至３のいずれか１項記載のファクシミリ用モデム装置を用いて構成したことを特徴とする。
【００１２】
本発明では、同期用信号の検出開始からカウントを開始し、前記同期用信号を検出するまでの期間が予め設定されている所定期間を超えた場合、前記同期用信号の検出を待たず強制的に画情報の受信に移行することにより、同期用信号受信中の瞬断などの突発的回線障害を受けた場合に、切断にいたることなく通信を継続させることができる。
【発明の効果】
【００１３】
本発明によれば、同期用信号受信中の瞬断などの突発的回線障害を受けた場合に、切断にいたることなく通信を継続させることができる。
【発明を実施するための最良の形態】
【００１４】
以下、図面に基づいて本発明の実施形態について説明する。
【００１５】
＜ファクシミリ用モデム装置の構成＞
図１は、本発明のファクシミリ用モデム装置の一実施形態のブロック図を示す。同図中、ファクシミリ用モデム装置は、モデムＬＳＩ１０、ホストＣＰＵ２０、ＣＯＤＥＣ３０、ＤＡＡ４０から構成されている。
【００１６】
モデムＬＳＩ１０は、ＤＳＰ１１とＲＯＭ１２とＲＡＭ１３とホストインターフェース１４とＣＯＤＥＣインターフェース１５から構成されている。ＤＳＰ１１は、データを電話回線用に変換する変調、電話回線の信号をデータに戻す復調、トレーニングのためのシーケンス制御、ホストＣＰＵ２０との間で制御情報及び画情報のやりとりを行う。ＲＯＭ１２はＤＳＰ１１が実行するプログラムを格納する。ＲＡＭ１３はプログラム実行に必要なデータを一時的に保持する。ホストインターフェース１４はホストＣＰＵ２０と接続され、ＣＯＤＥＣインターフェース１５はＣＯＤＥＣ３０と接続されている。
【００１７】
ホストＣＰＵ２０は、ファクシミリ送受信データをモデムＬＳＩ１０とやりとりし、モデムＬＳＩ１０が示すステータス情報を監視して、モデムＬＳＩ１０に対し制御情報を送って動作を制御する。
【００１８】
ＣＯＤＥＣ３０は、モデムＬＳＩ１０から送られてくるデジタル信号をアナログ信号に変換するＡ／Ｄ変換ブロックと、電話回線５０からのアナログ信号をデジタルデータに変換するＤ／Ａ変換ブロックを持つ。ＤＡＡ４０は、電話回線５０とのインターフェース用の回路であり、ハイブリッド回路、リング検出回路、リレー、トランス、保護回路などで構成されている。
【００１９】
モデムＬＳＩ１０のＤＳＰ１１は、ＲＯＭ１２に格納されているプログラムコードを実行する。Ｖ．３４ファクシミリ受信の場合はホストＣＰＵ２０からＶ．３４受信モードに設定され、Ｖ．３４勧告に従った信号のやりとりをＲＯＭ１２上のプログラムに従って実行する。
【００２０】
＜信号シーケンス＞
図２乃至図４に、Ｖ．３４勧告に規定された半二重動作の信号シーケンスを示す。図２に示すフェーズ１で通信規格を決定し、フェーズ２でシンボルレート、キャリア周波数を決定し、フェーズ３でプライマリチャネルの等化器トレーニングを行う。
【００２１】
フェーズ３のあと、図３に示すように、制御チャネルのスタートアップを行い、変調パラメータシーケンスＭＰｈを交換してプライマリチャネルの信号速度を決定する。
【００２２】
この後、図４に示すように、プライマリチャネル再同期を行う。このとき、送信モデム側は同期用の１２８シンボルの信号Ｓ、同期用の１６シンボルの信号Ｓｂａｒ、同期用の３８４シンボルの信号ＰＰ、シーケンスＢ１を送信し、それに引き続き画情報データを送信する。
【００２３】
受信モデムはプライマリチャネル再同期から画情報受信を終えるまで信号を受信する。原稿を複数ページ送信する場合は、プライマリチャネル再同期、画情報の送信、制御チャネル再同期、が繰り返される。
【００２４】
制御チャネル再同期では受信側は原稿を正しく受け取った場合、ＭＣＦ（Ｍｅｓｓａｇｅ  Ｃｏｎｆｉｒｍａｔｉｏｎ）をを返し、受信エラーのある場合はＰＰＲ（Ｐａｒｔｉａｌ  Ｐａｇｅ  Ｒｅｓｐｏｎｓｅ）を返すことで、受信できなかった情報は繰り返し送信モデムから原稿を送ることができる。送信モデムはＰＰＲを受信した場合、エラー部分のみ再送する。ＭＣＦを受信した場合は次のページがあれば送信し、なければＤＣＮ（Ｄｉｓｃｏｎｎｅｃｔ）を送信し切断処理を行う。
【００２５】
プライマリチャネル再同期においてはＳ信号、Ｓ信号からＳｂａｒ信号への遷移を検出することで、大まかに送信モデムとクロック同期を合わせ、続くＰＰ信号も使って同期合わせを継続する。Ｓ信号は１２８シンボル、Ｓｂａｒ信号は１６シンボル、シーケンスＰＰは３８４シンボルで、続くシーケンスＢ１の先頭から正しく受信し始めるためにもＳ信号からＳｂａｒ信号への遷移タイミングを正しく認識する必要がある。このため、Ｓ信号やＳ信号からＳｂａｒ信号への遷移を検出するまで、モデムシーケンスは先に進まない。
【００２６】
このため、受信モデム側ではＳ信号を受信するときに瞬断などの突発的回線障害が入った場合、Ｓ受信をいつまでも待つことになる。
【００２７】
一方、送信モデムはプライマリチャネルの送信が終わると制御チャネルの図２に示すような再同期手順に移行する。ここでは、Ｓｈ信号，Ｓｈｂａｒ信号，シーケンスＡＬＴを送信して受信モデムからのＳｈ信号またはＰＰｈ信号を待つ。
【００２８】
このように、送信モデムがＳ信号送出中に瞬断などの回線障害が発生した場合、送信モデムも受信モデムも先に進むことができず、ホストＣＰＵからのタイムアウトで強制切断されファクシミリ通信に失敗してしまう。
【００２９】
＜本発明の原理＞
本発明ではＳ信号を受信できないときの対策として、受信がＳ信号を待ちはじめるところからタイマを動作させ、所定時間（例えば５００ｍｓｅｃ程度）経過してもＳ信号およびＳ信号からＳｂａｒ信号への遷移が認識できない場合、強制的にＰＰ信号受信、シーケンスＢ１受信、画情報の受信へと進む。
【００３０】
＜本発明のフローチャート＞
図５は、モデムＬＳＩ１０が実行するプライマリチャネル再同期処理の一実施形態のフローチャートを示す。この処理はプライマリチャネル再同期のためのＳ信号待ちのタイミングで開始される。同図中、ステップＳ１０でタイマを起動する。次に、ステップＳ１１でＳ信号およびＳ信号からＳｂａｒ信号への遷移検出処理を実行する。
【００３１】
次に、ステップＳ１２でＳ信号からＳｂａｒ信号への遷移を検出したか否かを判別し、検出していない場合にはステップＳ１３でタイマが所定時間を超えたか否かを判別し、タイマが所定時間を超えていない場合はステップＳ１４でタイマのカウントアップを行い、ステップＳ１１に進む。
【００３２】
一方、ステップＳ１２でＳ信号からＳｂａｒ信号への遷移を検出した場合にはステップＳ１５に進み、ステップＳ１３でタイマが所定時間を超えた場合にはステップＳ１５に進む。ステップＳ１５ではＰＰｈ信号を受信し、次のステップＳ１６ではシーケンスＢ１を受信し、次のステップＳ１７では画情報を受信して後続の制御チャネル再同期に進む。
【００３３】
つまり、Ｓ信号からＳｂａｒ信号への遷移が検出されればタイマのカウント値にかかわらず次のＰＰ信号の受信処理にすすみ、Ｓ信号を受信していないのにタイマのカウント値が所定時間を超えた経過したことを示した場合、Ｓ信号検出をやめて次のＰＰ信号受信処理に進む。
【００３４】
タイマで強制的に画情報の途中信号からＰＰ信号、シーケンスＢ１とみなして受信処理を進める場合、送信モデムと同期をあわせることができないため、画情報を正常に受信することはできない。しかし、画情報が終わると、図４に示す制御チャネル再同期によって、次の制御チャネルでＰＰｈ信号またはＳｈ信号以降を受信して制御情報のやりとりを行う際に、受信モデムからＰＰＲ（Ｐａｒｔｉａｌ  Ｐａｇｅ  Ｒｅｓｐｏｎｓｅ）により画情報が正しく受信できなかったことを通知し再送を要求する。
【００３５】
そして、次のプライマリチャネル再同期に移行して、回線障害がなければ前回送れなかった画情報を送信モデムから再送することことにより、ファクシミリ通信を問題なく行うことができる。
【００３６】
なお、上記実施形態では所定時間を５００ｍｓｅｃ程度としたが、通常、無音区間が７０±５ｍｓｅｃなので、所定時間は２００ｍｓｅｃで十分である。このため、所定時間のデフォルト値を５００ｍｓｅｃとしておき、ホストＣＰＵ２０から可変設定できるような構成としても良い。
【００３７】
また、タイマはハードウエアのタイマを動かすことで時間計測してもよいし、ＣＯＤＥＣ３０からのサンプリング割り込み（例えばサンプリング周波数ｆｓ＝９６００Ｈｚであるならば、ｎ×（１／９６００）×１０００ｍｓｅｃとなる）にあわせてカウントする構成としても良い。
【００３８】
このようにして、プライマリチャネル再同期のＳ信号およびＳｂａｒ信号受信中に瞬断が発生しても通信断となることはなく、画情報の受信を継続することができる。
【００３９】
＜ファクシミリ装置の構成＞
図６は、本発明のファクシミリ装置の一実施形態のブロック図を示す。同図中、ファクシミリ装置は、画像読取部６０と、画像記録部７０と、情報圧縮復元部８０と、モデム装置９０から構成されている。
【００４０】
画像読取部６０は原稿上の画像を読み取って画情報を得る。情報圧縮復元部８０は画像読取部６０から供給される画情報に含まれる冗長度を削減する圧縮処理を行ってモデム装置９０に供給すると共に、モデム装置９０から供給される圧縮された画情報から元の画情報を復元して画像記録部７０に供給する。
【００４１】
画像記録部７０は画情報を元の画像として記録再生する。モデム装置９０は図１乃至図５で説明した本発明のファクシミリ用モデム装置である。
【００４２】
なお、ステップＳ１１が請求項記載の信号検出手段に相当し、ステップＳ１０，Ｓ１３，Ｓ１４がタイマ手段に相当する。
【図面の簡単な説明】
【００４３】
【図１】本発明のファクシミリ用モデム装置の一実施形態のブロック図である。
【図２】Ｖ．３４勧告に規定された半二重動作の信号シーケンスである。
【図３】Ｖ．３４勧告に規定された半二重動作の信号シーケンスである。
【図４】Ｖ．３４勧告に規定された半二重動作の信号シーケンスである。
【図５】プライマリチャネル再同期処理の一実施形態のフローチャートである。
【図６】本発明のファクシミリ装置の一実施形態のブロック図である。
【符号の説明】
【００４４】
１０  モデムＬＳＩ
１１  ＤＳＰ
１２  ＲＯＭ
１３  ＲＡＭ
１４  ホストインターフェース
１５  ＣＯＤＥＣインターフェース
２０  ホストＣＰＵ
３０  ＣＯＤＥＣ
４０  ＤＡＡ
５０  電話回線
【図１】
0004537910.tif 000002
【図２】
0004537910.tif 000003
【図３】
0004537910.tif 000004
【図４】
0004537910.tif 000005
【図５】
0004537910.tif 000006
【図６】
0004537910.tif 000007